Podtech/llm-jp-corpus-v4-ja_patent huggingface dataset:
(57)【要約】      （修正有）【課題】居住性に制約が生じない形態で簡易に設置でき、かつ、居住空間の美観を損なわないデザインの差し替え式仏壇兼神棚を提供する。【解決手段】装具３と、神札４が、底板１に形成されたスリット２に差し込まれている仏壇兼神棚であって、装具３と、神札４を、平面的な薄い形状に形成することで容積や重量を小さくし、居住性に制約が生じない形態として簡易に設置できるようにした。また、装具３と、神札４を、加工が容易な素材によって形成したことで、自由な発想でデザインできることも特徴とする。【選択図】図１
0003197978.tif 000002
【実用新案登録請求の範囲】
【請求項１】
据置型の差し替え式仏壇兼神棚において、底板上面に少なくとも１本以上のスリットが形成された差し替え式仏壇兼神棚であって、前記スリットに装具を差し込んで成ることを特徴とする差し替え式仏壇兼神棚。
【請求項２】
壁掛け型の差し替え式仏壇兼神棚において、底板上面に少なくとも１本以上のスリットが形成された差し替え式仏壇兼神棚であって、前記スリットに装具を差し込んで成ることを特徴とする差し替え式仏壇兼神棚。
【請求項３】
前記装具が平面的な形状に形成されていることを特徴とする請求項１ないし２のいずれか１項に記載の差し替え式仏壇兼神棚。
【考案の詳細な説明】
【技術分野】
【０００１】
本考案は差し替え式仏壇兼神棚に関する。より詳しくは、奥行きの浅い底板の上面に形成したスリットに平面的な形状の装具を差し込んで成り、特に賃貸住宅のような設置場所に制約のある住宅に配設するのに好適な差し替え式仏壇兼神棚に関する。
【背景技術】
【０００２】
従来、位牌や御札を安置した礼拝施設である仏壇や神棚は、その様式において宗教色の強い装飾を施した定置型の施設であり、木製、金属製、陶器製の仏具や神具を飾り、生花を供えるなどして祀るものとされるため容積や重量の大きなものが多く、そのため室内の壁面や壁面の上部に配設しなければならず、仏間が無い間取りの住宅や壁面の材質が石膏ボードの住宅は設置する場所に制約があった。さらに、従来の仏壇や神棚の意匠は近年の住宅や家具のデザインには似つかわしくないため扉や簾で内部を覆い隠す構造が多く、普段の生活の中で人々が先祖や神仏を身近に感じられる機会を失っている。
【考案の概要】
【考案が解決しようとする課題】
【０００３】
本考案は、仏壇や神棚などの礼拝施設を祭祀する際に生じている上述の問題を解消せしめるためになされたものであって、近年の住宅の様式や間取りの住宅であっても簡易に設置でき、居住性に制約を生ずることなく、かつ、居住空間の美観を損なわないデザインの実現が可能な差し替え式仏壇兼神棚を提供することを目的としている。
【課題を解決するための手段】
【０００４】
（１）本考案の差し替え式仏壇兼神棚は、底板上面に少なくとも１本以上のスリットが形成された差し替え式仏壇兼神棚であって、前記スリットに装具を差し込んで成ることを特徴とする。
（２）本考案の差し替え式仏壇兼神棚は、上記（１）において、前記装具が平面的な形状に形成されていることを特徴とする。
【考案の効果】
【０００５】
上記構成とすることにより、奥行きが浅い底板でも装具を飾れるため、仏壇や神棚の容積や重量を小さくすることが可能になり、近年の住宅の様式や間取りの住宅であっても居住性に制約を生じない形態として仏壇や神棚を簡易に設置できる。
【０００６】
また、上記構成において、装具を平面的な形状に形成するため、紙などの安価な素材で装具を形成することが可能になり、かつ、装具の表面に印刷などの加工が容易となるため、従来の仏壇や神棚の様式にとらわれない発想の装具を形成することができ、居住空間の美観を損なわないデザインを実現できる。
【図面の簡単な説明】
【０００７】
【図１】図１は本考案における据置型の差し替え式仏壇兼神棚の概略斜視図である。
【図２】図２は本考案における壁掛け型の差し替え式仏壇兼神棚の概略斜視図である。
【実施例】
【０００８】
以下、本考案の実施例を図面に基づいて説明する。ここでは、神棚タイプを例にとり説明するが、本考案の技術的範囲はこれに限られるものではなく、実用新案登録請求の範囲に記載の範囲内で種々の態様、即ち仏壇タイプに及ぶものである。
【０００９】
図１の示すように、装具３と神札４を差し込むためのスリット２が形成された底板１で構成されている。この据置型の差し替え式仏壇兼神棚の底板１は、奥行きが５ｃｍ、左右の幅が９ｃｍ、高さ２ｃｍとして構成してある。スリット２の幅は約１ｍｍである。装具３と神札４は、スリット２に着脱できるようになっている。
【００１０】
図２は、装具３と神札７を差し込むためのスリット２が形成された底板８と、部屋の壁面に固定するための背板５とで構成されている。奥行きが５ｃｍ、左右の幅が１４ｃｍ、背板５を含めた高さ８ｃｍとして構成してある。スリット２の幅は約１ｍｍ、背板側のスリット６の幅は１ｃｍとしている。装具３は、スリット２に着脱できるようになっている。神札７は、スリット６に着脱できるようになっている。
【００１１】
装具３と神札４と神札７は、薄く加工することができる紙や金属や木材やプラスティックやアクリル樹脂などで形成されることが好ましく、また、加工が容易な素材によって形成するために、装具や神札は従来の様式にとらわれない自由な発想でデザインすることができ、かつ、表面に印刷などの美装を施すことで近年の住宅や家具との調和の取れた仏壇兼神棚を実現できる。
【００１２】
装具３と神札４と神札７を平面的な薄い形状に形成し、底板１と底板８の奥行きに平行に複数形成されたスリット２やスリット６に差し込むことで、従来の仏壇や神棚の装具配置の様式を保ちながら容積や重量を小さくし、近年の住宅の様式や間取りの住宅であっても居住性に制約が生じない形態として仏壇や神棚を簡易に設置できる。また、スリット２やスリット６の前後の位置関係により、装具３が光を受けた際に複雑な陰影が生じ、従来の仏壇や神棚が持つ重厚感や立体感を損なうことはない。
【００１３】
以上説明したように、本考案による差し替え式仏壇兼神棚は、居住性に制約が生じない形態で簡易に設置できる。そして、従来の仏壇や神棚の良さを活かしながらも居住空間の美観を損うことがない。
【産業上の利用可能性】
【００１４】
本考案の差し替え式仏壇兼神棚は、近代的な様式や間取りの住宅であっても、簡易に、かつ、居住性に制約が生じない形態で簡易に設置でき、現代風の家具と調和するデザイン表現が可能なため、産業上の利用可能性が高い。
【符号の説明】
【００１５】
１    底板
２    スリット
３    装具
４    神札
５    背板
６    スリット
７    神札
８    底板
【図１】
0003197978.tif 000003
【図２】
0003197978.tif 000004
(57)【要約】      （修正有）【課題】階段を下りる際にハンドルを握ることにより、無理無く体重を支えることができ、握力の弱い高齢者や障害を持つ人たちでも安全に下りることの補助となるグリップハンドル型階段手摺を提供する。【解決手段】ハンドルグリップ型階段手摺は、ハンドルグリップパイプを階段本体に対し垂直方向に取り付け、ハンドルパイプに滑り止めの被覆を施したものを特徴とする。【選択図】図１
0003197926.tif 000002
【実用新案登録請求の範囲】
【請求項１】
ハンドルグリップ型階段手摺は、ハンドルグリップパイプを階段本体に対し垂直方向に取り付け、ハンドルパイプに滑り止めの被覆を施したものを特徴とする構造。
【考案の詳細な説明】
【０００１】  本考案は階段手摺に関し、特に高齢者及び障害者が安全に階段を下りることが出来るに適した構造に係わる。
【考案の概要】
【０００２】  前々より考案者が居住する自宅３階から、老齢の妻が外階段を下りる際、通常の手摺では握力や手摺形状の関係で、身体が不安定になったとき支えることが十分に出来ず、危険が避けられないと判断し考案した。本考案による階段手摺の傾斜に対し、垂直方向に取り付けてある、グリップハンドル型階段手摺は、踏み出す足と同時に手でハンドルを掴み、体重の移動を支え身体を安定する補助となる。
【考案の効果】
【０００３】  グリップハンドル型階段手摺を制作し、本考案者宅の階段に設置し半年を経過して以来、利用者より安心して階段を下りることが出来る、便利な手摺の形状であるとの評価を受けている。
【図１】
0003197926.tif 000003
【図２】
0003197926.tif 000004
【手続補正書】
【提出日】平成27年3月26日(2015.3.26)
【手続補正１】
【補正対象書類名】明細書
【補正対象項目名】全文
【補正方法】変更
【補正の内容】
【考案の詳細な説明】
【０００１】  本考案は階段手摺に関し、特に高齢者及び障害者が安全に階段を下りることが出来るに適した構造に拘わる。
【考案の概要】
【０００２】  前々より考案者が居住する自宅３階から、老齢の妻が外階段を下りる際、通常の手摺では握力や手摺形状の関係で、身体が不安定になったとき支えることが十分に出来ず、危険が避けられないと判断し考案した。本考案による階段手摺の傾斜に対して、垂直方向に取り付けてある、グリップハンドル型階段手摺は、踏み出す足と同時に手でハンドルを掴み、体重の移動を支え体を安定にする補助となる。
【考案の効果】
【０００３】  グリップハンドル型階段手摺を試作し、本考案者宅に配置し半年を経過して以来、利用者より安心して階段を下りることが出来る、便利な手摺の形状であるとの評価を受けている。
【図面の簡単な説明】
【０００４】
【図１】  斜視図。  １．グリップハンドル  ２．階段手摺  ３．階段通路  ４．手摺支柱  階段手摺の傾斜に対し、垂直に取り付けた１．グリップハンドルは、階段を折りる際に、握力不足の人でもしっかり握ることができ、転倒事故回避の補助となる。
【図２】  平面図及び断面図  １．グリップハンドル  ２．階段手摺  １ａ．ハンドルパイプ  １ｂ．滑り止め被覆  階段手摺２．に垂直に取り付けた１．グリップハンドルは、１ａ．ハンドルパイプに１ｂ．滑り止め被膜を施し、雨天の際の滑りや冬季の冷感触から利用者を保護する。
【手続補正２】
【補正対象書類名】図面
【補正対象項目名】全図
【補正方法】変更
【補正の内容】
【図１】
0003197926.tif 000005
【図２】
0003197926.tif 000006
(57)【要約】      （修正有）【課題】取付けが簡単で、取り替えに際しては設置面と表札本体に傷が発生することなく容易に取り外しが可能で、また後付施工が可能なため全体外構工事期間の予測、作業の均一化、簡素化が図れ、かつ強固に設置できる表札設置具を提供する。【解決手段】コの字型に曲げられた基板一組の一方の基板１を表札裏面に固定し、他方の基板２を設置面に固定し双方組み合わせ、基板１の差し込み部形成体３を基板２のＬ字状の切り込み体部４に通し固定することで前後左右上下の遊離を不可能にする。また差し込み部形成体のオネジを戻すことで容易に着脱を可能にする。【選択図】図１
0003197928.tif 000002
【実用新案登録請求の範囲】
【請求項１】
コの字型にそれぞれ折り曲げた表札側基板および設置側基板と、前記設置側基板の両辺にそれぞれ設けられた片側開口部を有すＬ字状切り込み部と、前記表札側基板の両辺にそれぞれ設けられた差し込み部形成体とをそれぞれ係合させ、固定することを特徴とする表札設置具。
【請求項２】
コの字型にそれぞれ折り曲げた表札側基板および設置側基板と、前記設置側基板の両辺にそれぞれ設けられた片側開口部を有すＬ字状切り込み部に、前記表札側基板の両辺にそれぞれ設けられた差し込み部形成体とそれぞれに落とし込むことで“仮固定”できることを特徴とする表札設置具。
【請求項３】
コの字型にそれぞれ折り曲げた表札側基板および設置側基板と、前記設置側基板の両辺にそれぞれ設けられた前側の片側開口部を有すＬ字状切り込み部と、前記表札側基板の両辺にそれぞれ設けられた差し込み部形成体を“正面前部”より落とし込むことができることを特徴とする表札設置具。
【考案の詳細な説明】
【技術分野】
【０００１】  本考案は、玄関や門柱に設置する表札に係わりさらに詳しくは表札の取付け、取り外しを可能にする設置具に関する。
【背景技術】
【０００２】  従来、表札は玄関、門柱、壁面等に埋め込みや、ボルト止めなどで強固に設置されており専門家の作業を伴うのが一般的である。またそのため取り外しには表札本体や設置面に傷や破損を伴うのが一般的である。
【考案の概要】
【考案が解決しようとする課題】
【０００３】  本考案は、専門家でなくても取付けが簡単で、後付け、すなわち期間を置いて後の施工においても設置面を傷つけることなく表札本体部を設置可能にするとともに、交換、修復の際も取り外しが容易な表札設置具を提供することを目的とします。
【課題を解決するための手段】
【０００４】  本考案は、コの字型に曲げられた基板一組の一方を表札裏面に固定し、他方を設置面に固定し双方を組み合わせ、ネジ等の差し込み体を一方の切り込み部に通し固定することで前後左右、上下の遊離を不可能にするものである。【０００５】  また、本考案は設置面側基板にハの字型の抜き部分を形成することにより、設置に際しては水平、垂直を容易に修正できることとした。
【考案の効果】
【０００６】  本考案は、コの字型に曲げられた金属基板一組の一方を表札裏面に固定し、他方を設置面に固定し双方を組み合わせ、オネジで形成した差し込み体を一方の落とし込み状切り込み部に通し固定します。切り込み部が落とし込み形状のため一般的に必要な仮固定作業の必要もなく、オネジを利用することで専門家でなくともしっかり固定できます。またオネジを戻すだけで取り外しも簡単に行えます。【０００７】  また本考案は簡単にメンテナス及び修繕、修復ができるばかりでなく固定部が側面にあることで一般的に表札設置部の上下に設置されているポスト、インターフォン、照明等も障害とならずに締め工具を利用できます。【０００８】  表札は一般的に納期がかかるが本考案の設置面金具を事前に取り付けることで全体外構工事終了後でも後付施工が可能となるため工期の予測、また施工作業の均一化が図れます。
【図面の簡単な説明】
【０００９】
【図１】本考案の表札設置具の構成図。
【図２】（Ａ）（Ｂ）は同表札設置具の１、２各基板組の見取り図です。
【図３】施工実施後の側面見取図です。
【考案を実施するための形態】
【００１０】  本考案の実施例を図１に示します。ネジ式の差し込み部形成体３が設けられた表札側基板１を取り付けた表札本体１２を、設置面１３に取り付けられた設置側基板２の片側開口部を有すＬ字状切り込み部４に差し入れネジ締め固定する実施例です。
名前等を記載した表札本体１２を固定した基板１は、板をコの字状に折り曲げられており、その両辺５の中央にオネジを少し挿入した差し込み部形成体３が設けられています。また基板２のコの字状に折り曲げられた６のほぼ中央には片側開口部を有すＬ字状切り込み部４が設けられています。また設置側基板２には表札本体を取り付けの際、水平を調整することができるよう支店孔７と大き目のハの字型長孔８が設けられています。さらに設置の目安とするための中心孔９が設けられています。コの字型表札側基板１の開口幅は設置側基板２のコの字型曲げの内側に入るよう少し狭く、設置側基板２の４の切り込み部は組み合わせ側に開口していますのでオネジ差し込み部形成体３を差し入れる仕様で双方を容易に組み合せることができます。
【００１１】次に設置について述べる。事前に設置面に取り付けられた設置側基板２の４に表札側基板１に設けられたネジ式の差し込み部形成体３を差し入れＬ字状の切り込み部の底辺まで落とし込みます。その状態で本体表札１２が仮固定されますので水平を確認し、不具合があれば設置側基板２の７．８孔を利用して調整します。調整後一旦表札本体１２を取り外し、設置側基板２のネジ１０を締め設置面にしっかり固定します。再度表札本体を差し入れ３のオネジを締め固定します。基板２の４に差し入れられた３をしっかりネジ締めすることで上下、左右とも外れることがなくなりしっかり結合固定されます。
【００１２】  図２（Ａ）は表札側基板１の背面から見た図で、中心には表札本体との接合孔１１を設けています。左右辺５にはオネジで形成される３をネジ込むためのネジ孔を設けています。図のように事前にオネジが脱落しないよう少し差し込み、その際にネジ頭部と５との間にネジ部分を５ｍｍ程度残し差し込み部形成体を形成します。
図２（Ｂ）は設置側基板２の背面から見た図で支点孔７、ハの字型長孔８、設置側基板中心表示孔９、を等の取付けと水平調整の孔を配しています。また左右辺６には組み合せ側の片側開口部を有すＬ字状切り込み部４が設けられています。組み合せ側より差し入れ、落とし込む“受け”型の仕様になっています。
【００１３】  図３は設置完了時の側面図です。図のようにコの字状の基板１、２が双方の曲げ部５、６で組み合せて左右の動きを防止し、Ｌ字状切り込み部４にオネジの差し込み部形成体３を締め合せることで前後上下の動きを防止して、全体でしっかり確実に結合固定します。
【００１４】材をステンレス製などにすることで屋外でも長期にわたり対応できます。
【符号の説明】１．  表札側基板
２．  設置側基板
３．  差し込み部形成体
４．  片側開口部を有すＬ字状切り込み部
５．  表札側基板曲げ板部
６．  設置側基板曲げ板部
７．  支点孔
８．  ハの字型長孔
９．  設置側基板中心表示孔
１０．取付けネジ
１１．表札接合孔
１２．表札本体
１３．設置面
【図１】
0003197928.tif 000003
【図２】
0003197928.tif 000004
【図３】
0003197928.tif 000005
(57)【要約】      （修正有）【課題】「足踏み」の際の滑りやすさと、「摺り足」の困難さを同時に解決する弓道足袋を提供する。【解決手段】弓道足袋裏面の親指から踵にかけて、及び小指から踵にかけて直線的にゴム１を装着することで、弓を引く際に逆八の字に両足を張る「足踏み」の動作での滑りやすさと、「摺り足」の動作の際に障害となっていた全面ゴム足袋の問題点の二つを解決する。これにより、円滑な弓道競技の実践に役立つ。【選択図】図１
0003197927.tif 000002
【実用新案登録請求の範囲】
【請求項１】
弓道競技で用いられる足袋裏面に親指から踵にかけて、及び小指から踵にかけて直線的にゴムを装着し、「足踏み」（弓道における逆さ八の字に両足を開いて張る動作）の際に滑りにくくする特徴を持たせた足袋。
【考案の詳細な説明】
【技術分野】
【０００１】  本考案は、足袋裏面に親指から踵にかけて、及び小指から踵にかけて直線的にゴムを装着した弓道足袋に関するものである。
【背景技術】
【０００２】  従来の弓道足袋ないしゴム付き足袋は、前者はそれのみでは滑りやすく、後者は足袋裏全面にゴムを装着したため、伝統的な「摺り足」の動作に支障が出やすい構造となっていた。
【考案の概要】
【考案が解決しようとする課題】
【０００３】  足を開いて張る「足踏み」における滑りやすさと、全面ゴムの際の「摺り足」の困難さの二つの課題を同時に解決するため、足袋裏に部分的にのみゴムを装着することで、足を張った際には力がかかり滑りにくく、摺り足の際にはべた足とならないためゴムが障害にならない機能性を実現している。
【課題を解決するための手段】
【０００４】  本考案は、弓道足袋の裏面に親指から踵にかけて、及び小指から踵にかけて直線的にゴムを装着することで、従来の弓道足袋の「足踏み」の際の滑りやすさと、裏側全面ゴム足袋の「摺り足」の困難さを解決している。
【考案の効果】
【０００５】  上述のように、本考案は弓道競技における重要動作を補助し、かつ従来のゴム付き足袋で起こりうる課題も解決している。これにより、競技者は従来品の課題により割いていた注意を競技に集中させることが可能になり、より教練、成果の向上が期待できる。
【図面の簡単な説明】
【０００６】
【図１】弓道足袋裏面の本考案実施例を示す図である。
【考案を実施するための形態】
【実施例】
【０００７】  図１に示される、本考案を実施した例に基づいて説明する。▲１▼は［請求項１］における「親指から踵にかけて、及び小指から踵にかけて直線的にゴムを装着」した状態を示したものである。【０００８】  本考案の実施に用いるゴムは、滑り止めに作用するものであれば種類、厚みは問わない。【０００９】  ゴムの装着に関しては、十分な強度が得られれば方法は問わない。【００１０】  足袋裏全面にゴムを装着した場合、「摺り足」の際に障害となる。そのため、直線部分的な装着に限定することで、意識的に摩擦を避けうる構造となっている。
【符号の説明】▲１▼  すべり止めゴム
【図１】
0003197927.tif 000003
(57)【要約】      （修正有）【課題】コースターと飲料容器底面の間に両面シールを配し、コースターと飲料容器底面を粘着させて、一体化することによる機動性及び運用性を高めたコースターを提供する。【解決手段】飲料容器７外部の結露処理をする吸水、保水及び防水機能を有するコースターにおいて、飲料容器底面とコースターの間に両面シール１を配し、下部のシールは接着部材によりコースターに接着し、上部のシールは粘着部材により飲料容器底面に粘着することを特徴とする。【選択図】図３
0003197938.tif 000002
【実用新案登録請求の範囲】
【請求項１】
飲料容器外部の結露処理をする吸水、保水及び防水機能を有するコースターにおいて、飲料容器底面とコースターの間に両面シールを配し、下部のシールは接着部材によりコースターに接着し、上部のシールは粘着部材により飲料容器底面に粘着することを特徴とするコースター。
【請求項２】
請求項１に記載した両面シールの粘着部を小さいゴミ・埃等の付着から保護し、乾燥を防ぐため、剥離可能なワックスペーパーを附置することを特徴とするコースター。
【考案の詳細な説明】
【技術分野】
【０００１】  本考案は、コースターが飲料容器底面にくっついた状態で結露処理をする軽量コースターに関する。なお、飲料容器とは一般的にボトルやグラスなどを指す。
【背景技術】
【０００２】  従来のコースターは、大半がデザインの範疇で競合するものであり、積極的な結露処理機能のあるコースターは一部に散見されるが、重厚型の製品が多く、軽量で飲料容器底面にくっついた上、飲料容器外面に発生する結露を吸収するコースターは見当たらない。近年、小型軽量化を背景技術とした製品が市場に見られる中、コースター分野でもこの背景技術が期待できる状況にある。
【考案の概要】
【考案が解決しようとする課題】
【０００３】  上記の背景技術を考慮すれば、コースター基部は吸水、保水及び防水機能を軽量化した材質で製作できる現状にある。更に、この軽量化したコースターを飲料容器底面に粘着させ、コースターと飲料容器を一体化することにより、従来のコースターにはなかった運用性が向上する。このような新機能をコースターに付与しつつ、従来のデザイン性等も確保することを課題としている。
【課題を解決するための手段】
【０００４】  コースター基部の基本素材は、上面吸収材としてはポリオレフィン系不織布等とし、コースター底面防水材としてはポリエチレンフィルム等とする。また、吸収材は綿状パルプ、吸収紙及び高分子吸収材等とする。本考案の生産技術は、軽量化の先鋭製品（生理用品及び介護用品等）に倣うことが多く、生産技術の課題は介護用品等からの応用と当方の実験結果に基づき解決できる。【０００５】  コースター基部は円形であり、コースター外縁部の接着は約５ｍｍ幅の接着（のり接着、ホットメルト圧着等）とする。【０００６】  また、コースターと飲料容器底面の間には両面シールを配し、コースター側には接着、飲料容器底面側には中粘着の機能を持たせる。これにより、コースターから飲料容器を外す時は、コースター側には接着により両面シールが残り、飲料容器底面には粘着のりの少量の残滓が付着するだけとなる。【０００７】  コースターと飲料容器底面との粘着に関する技術のもう一つとして、コースター上面に粘着のりを塗布し、その上面に底面が凹んでいる缶ビール等の凸部を粘着させる方法もあることを付記する。その場合も飲料容器底面には粘着のりの少量の残滓が付着するだけとなる。
【考案の効果】
【０００８】  コースターは飲料容器底面の大きさに対応させ、３種類程度を製作する。これにより、飲料容器底面にくっつくコースターは一体型としての機能美を発揮する。【０００９】  飲料容器底面にくっつく結露とりコースターを使用すると、結露とりが確実になり、飲料容器を口にする時もテーブルに置く時も衣類や書類を濡らすことが少なくなる。パーティなどでは、参加者がテーブル廻りを移動することが多いが、一方の手に料理小皿を持ち、他方の手にコースターがくっついた飲料容器を持つなどして動けるため、テーブル上に飲料容器等が雑然としている状況を目にすることは少なくなる。また、会議などでは重要書類の汚損が少なくなる。【００１０】  コースターを複数の淡い色で揃えると、お洒落感覚が刺激される。また、コースターの粘着部にロゴなどを貼り付けると、ロゴが飲料容器上部から透けて見えるので宣伝効果を期待できる。【００１１】  飲料容器側の両面シールの粘着のりは多重塗りとし、上部にワックスペーパーを附置することにより小さいゴミ・埃等の付着から保護し、乾燥等を防ぐ。コースター使用時にはワックスペーパーを外すものとする。また、飲料容器の使用後は、飲料容器底面に付着した粘着のりの残滓を簡単な水洗で流すことができる。
【図面の簡単な説明】
【００１２】
【図１】は、本考案の実施形態に係るコースターの上面図である。
【図２】は、図１のＡ−Ａ位置における断面図である。
【図３】は、図２からワックスペーパー２を取り除いた上部に飲料容器を附置した断面図である。
【考案を実施するための形態】
【００１３】  図１に示すように、コースター上面３は上面から見て円形である。両面シール１及びワックスペーパー２は三角形から円形までの形であれば自由である。ただし、粘着力を確保することが必要条件となる。また、両面シール１の直径は、飲料容器底面の直径より約２ｍｍ幅以上小さいものとし、結露吸収機能を確保する。ここでの直径とは、各多角形の内円の直径を指す。
【００１４】  図２に示すように、外縁部４は約５ｍｍ幅で接着（ホットメルト圧着等）する。また、コースター上面３は、ポリオレフィン系不織布等の上面吸収材を使用し、コースター底面６は、ポリエチレンフィルム等を使用する。
【００１５】  コースター基部５は、綿状パルプなどの吸水材でできており、コースター上面３とコースター底面６がコースター基部５を包む形状とする。
【００１６】  両面シール１の接着部は、コースター上面３の中央部に接着させ、両面シール１の粘着部にはワックスペーパー２を付着させ、粘着のりの乾燥を防ぐ。
【００１７】  図３に示すように、飲料容器をコースター上面３に附置する時は、ワックスペーパー２を取り外したあとに附置する。
【符号の説明】
【００１８】  １  両面シール
２  ワックスペーパー
３  コースター上面
４  外縁部
５  コースター基部
６  コースター底面
７  飲料容器
【図１】
0003197938.tif 000003
【図２】
0003197938.tif 000004
【図３】
0003197938.tif 000005
(57)【要約】      （修正有）【課題】手が届かない場所にあるバルブの開閉や開度調整をバルブから離れた位置で容易に行うことができるハンドル調整用工具を提供する。【解決手段】アタッチメント部２とバルブのハンドルを操作するための持ち手４の２つのパーツで構成し、アタッチメント部は筒状で、一方の端部はバルブ１１のハンドル部に適合してはめ込むことができる２〜３ヶ所の切欠きがあり、もう一方の端部は持ち手部を挿入するためのソケット状となっている。アタッチメント部をバルブのハンドルに装着して、持ち手部でアタッチメント部越しにバルブのハンドルを調整する。【選択図】図６
0003197935.tif 000002
【実用新案登録請求の範囲】
【請求項１】
アタッチメント部と持ち手部からなり、アタッチメント部は筒状で、一方の端部はバルブのハンドル部に適合してはめ込むことができる切欠きがあり、もう一方の端部は持ち手部を挿入するためのソケット状となっており、アタッチメント部をバルブのハンドルに装着して、持ち手部でアタッチメント部越しにバルブのハンドルを調整することを特徴とするバルブのハンドル調整用工具。
【考案の詳細な説明】
【技術分野】
【０００１】本考案は、バルブのハンドル調整用工具に関する。
【背景技術】
【０００２】  浄化槽や排水処理施設で使用されているバルブは、処理状態に応じて、またはメンテナンス時において、適宜、バルブの開閉や開度調整を行っているが、設置しているバルブの中には手の届かない場所に位置するものがあり、浄化槽や排水処理施設のメンテナンスをする者はそのような場所にあるバルブの開閉や開度調整に難儀している。
【考案の概要】
【考案が解決しようとする課題】
【０００３】  手が届かずバルブの開閉や開度調整が困難な場所にあるバルブの開閉や開度調整を、直接バルブのハンドルを手で握ることなく、バルブから離れた位置で行うことができるハンドル調整用工具の提供を目的とする。
【課題を解決するための手段】
【０００４】  本考案品は、バルブのハンドル部に装着するアタッチメント部とそのアタッチメント部越しにバルブのハンドルを回すための持ち手となる部分との２つのパーツからなる。【０００５】  アタッチメント部は筒状で一方の端部は、バルブのハンドルの形状に合わせた２または３か所の切欠きがあり、バルブのハンドルと合致してはめ込むことで本考案品を通じてハンドルの調整を滞りなく行うことができる形状とした。【０００６】  アタッチメント部のもう一方の端部はソケットとなっており、アタッチメント部越しにハンドルを回すための持ち手をアタッチメント部に挿し込む。【０００７】  本考案品の持ち手は、バルブの位置と使用者までの距離に応じた適当な長さのパイプや伸縮ポール、使用者が使用しやすいよう必要に応じて角度をつけられるフレキシブル棒を挿入できる。
【考案の効果】
【０００８】  浄化槽や排水処理施設の管理者にとって手の届かない場所に位置するバルブの開閉や開度調整は難儀する作業であったが、本考案品を使用することで、バルブから離れた位置でもバルブの調整作業が容易に行うことができるため、浄化槽や排水処理施設の管理業務の向上、時間短縮につながる。
【図面の簡単な説明】
【０００９】
【図１】  切欠きが２か所のアタッチメント部
【図２】  切欠きが３か所のアタッチメント部
【図３】  本考案品の全体図
【図４】  図１の本考案品を実施するための形態。
【図５】  図４を横から見た図
【図６】  図２の本考案品を実施するための形態。
【考案を実施するための形態】
【００１０】  以下、本考案の実施の形態を図４、図５に基づいて説明する。
【実施例１】
【００１１】  本考案品のアタッチメント部２の切欠き部３を図４、図５のようにリニアコック１０のハンドルにはめ込み、バルブの位置と使用者までの距離に応じた適当な長さの持ち手４を操作してアタッチメント部越しにハンドルを調整する。
【産業上の利用可能性】
【００１２】  本考案品は、排水処理施設や浄化槽などの排水関連施設、その他バルブが使われているところで、バルブから離れた位置でのハンドル調整に使用できる。
【符号の説明】
【００１３】  ２  アタッチメント部
３  切欠き
４  持ち手
１０  リニアコック
１１  微調整エアバルブ
【図１】
0003197935.tif 000003
【図２】
0003197935.tif 000004
【図３】
0003197935.tif 000005
【図４】
0003197935.tif 000006
【図５】
0003197935.tif 000007
【図６】
0003197935.tif 000008
(57)【要約】      （修正有）【課題】身体状況に応じて使い分けることのできる身体洗浄具を提供する。【解決手段】その上面にブラシ体２を植設してなる基体を設け、該基体下方にスポンジを位置させ、ブラシ体２を突出させて基体とスポンジにカバー布体４を覆設し、カバー布体４下部表面に摩擦布体５を設け、以上の構成による本体を設け、該本体に環状紐７を取り付けたことを特徴とする。【選択図】図３
0003197934.tif 000002
【実用新案登録請求の範囲】
【請求項１】
その上面にブラシ体を植設してなる基体を設け、該基体下方にスポンジを位置させ、ブラシ体を突出させて基体とスポンジにカバー布体を覆設し、カバー布体下部表面に摩擦布体を設け、以上の構成による本体を設け、該本体に環状紐を取り付けたことを特徴とする両面型身体洗浄具。
【請求項２】
基体を剛性を有する素材にて形成してなる請求項１記載の両面型身体洗浄具。
【請求項３】
環状紐と本体取り付け部において、隣り合う紐間隔を３ｃｍ以上としてなる請求項１または２記載の両面型身体洗浄具。
【請求項４】
ブラシ体のカバー布体からの突出距離を１ｃｍ〜１．５ｃｍの範囲としてなる請求項１〜３のいずれかの項に記載の両面型身体洗浄具。
【考案の詳細な説明】
【技術分野】
【０００１】  この考案は、上下両面を用いての身体洗浄が可能なる両面型の身体洗浄具に関する。
【背景技術】
【０００２】  従来より、種々の身体洗浄具が利用されているが、本案にて示すような両面型の身体洗浄具は見当たらない。
【考案の概要】
【考案が解決しようとする課題】
【０００３】  入浴時などに身体を洗うとき、洗剤と身体洗浄具を用いている。洗剤は固形石けん、液状洗剤などを用い、洗浄具としては繊維布体、ブラシ、柄付きブラシなどを用いる場合が多い。身体洗浄時において、手の届きにくい箇所、例えば背中上部、肩甲骨付近などの洗浄は難儀である。柄付きブラシを用いる場合は、柄を握った手とブラシ体との距離があるために、比較的洗いやすい面もあるが、濡れた手のために柄が滑りやすい。また、繊維布体を用いて、その両端を手に持ち、布体中央部を背中に当てて反復運動にて洗う方法もあるが、背中に接する部分の凹凸が不十分で、十分なる洗浄効果が得にくい。
本案は以上に鑑み、紐中央に洗浄の本体を設けるとともに、この洗浄本体の上下面に異なる部材を用いることにて、背中部分の洗浄に適するとともに、目的に応じて使い分けることのできる、新規かつ有用なる物品を提供することを目的として発案されたものである。
【課題を解決するための手段】
【０００４】  課題を解決する手段として本案は以下の構成とした。
すなわち、その上面にブラシ体を植設してなる基体を設け、該基体下方にスポンジを位置させ、ブラシ体を突出させて基体とスポンジにカバー布体を覆設し、カバー布体下部表面に摩擦布体を設け、以上の構成による本体を設け、該本体に環状紐を取り付ける。
本案は以上の構成よりなる両面型身体洗浄具である。
【考案の効果】
【０００５】  本案は下記の効果を有する。
１．本体上方にブラシ体を下方に摩擦布体を有しているので、使用状況にて使い分けて用  いることができる。
２．本体に環状紐を設けたので、手の届きにくい背中上部を快適に洗うことができる。
３．小型軽量にてその取り扱いおよび収納に便利である。
【図面の簡単な説明】
【０００６】
【図１】  本考案の平面図
【図２】  本考案の要部拡大平面図
【図３】  本考案の要部拡大正面図
【図４】  Ａ−Ａ断面図
【考案を実施するための最良の形態】
【０００７】  以下、本考案の実施形態について説明する。
図において、１は基体で、平面視楕円形略板状の剛性を有する合成樹脂成形体であって、その上面中央には平面視円形にて動物性のブラシ体２が植設されている。３は発泡合成樹脂によるスポンジで、柔軟性に富み、基体の下面に固着される。４はカバー布体で、基体とスポンジを覆うとともに、上面の開口部よりブラシ体が突出するよう設けられる。
このカバー布体は基体およびスポンジのサイズよりやや大きく、カバー布体と基体との間隙に後述の環状紐が挿通される。５は摩擦布体で、粗く編んだ合成樹脂繊維にて、その表面の摩擦度の高い布体であって、前記カバー布体の下部表面に覆設される。以上の構成にて本体６が構成される。７は環状紐で、カバー布体と基体との空隙に挿通されて位置するものであり、カバー布体に設けられた孔を通して位置する。以上が本案の一実施形態である。【０００８】  次に、本案の使用について説明する。
まず、本体のブラシ体もしくは摩擦布体あるいはその双方に洗剤を含ませる。
この洗剤は液状洗剤もしくは固形石けんのいずれを用いてもよい。次に、ブラシ体もしくは摩擦布体のいずれかを背中に来るように環状紐を両手に持ち、本体を背中に軽く押圧接触させて反復運動にて身体洗浄を行う。ブラシ体もしくは摩擦布体は背中に押圧接触しているので、不便を感じることなく身体を洗浄することができる。使用後は、本体洗浄にて洗剤成分を抜き取り、乾燥保管して次の使用に備えることができる。
本案は、ブラシ体と摩擦布体の双方を備えており、使用状況に合わせて適宜に使い分けることができる。【０００９】  ブラシ体は、比較的柔らかい動物性以外にやや堅めの合成樹脂製を用いることができ、またその皮膚への刺激にてマッサージ効果が期待できる。摩擦布体は粗く編んだ合成樹脂製を用いてもよく、また、該布体を適宜に折ってひだ（図４仮想線）を設けることにより、凹凸が形成されてより摩擦力の高い布体として用いることができる。基体は剛性を有しているので、ブラシ体の安定位置保持となり、スポンジを内包しているので、クッション性を有するとともに泡立ちがよくなって快適に使うことができる。【００１０】  以上、本案について記したが、本案はブラシ体と摩擦布体の双方を備えた本体に環状紐を設けたところにその特徴を有するものである。既述のごとく、従来より種々の身体洗浄具が利用されているが、いずれも単一機能のものであって、利用者の身体状況により使い分けができるとともに、背中上部など手の届きにくい箇所の洗浄も容易に行うことのできる有用なる物品が本案によって得られたのである。
なお、本体に接続される環状紐の隣り合う距離は、３〜４ｃｍ程度が好ましく、これが近すぎると使用時に本体が回りやすく好ましくない。またブラシ体のカバー布体からの突出距離は１ｃｍ〜１．５ｃｍ程度が好ましく、高すぎると洗浄時の安定を欠き、低すぎるとブラシ体のしなりがなくなって好ましくない。
また、摩擦布体の素材や形状は任意に選択して構成することができ、単一布体、ひだを設けた布体、数多くの不定形折り込みなど適宜に選択して構成することができる。
なお、既述の例は実施の一例であって、近似の他の構成としてもよい。
以上のごとく、本案によって新規かつ有用なる身体洗浄具を得ることができる。
【符号の説明】
【００１１】  １  基体
２  ブラシ体
３  スポンジ
４  カバー布体
５  摩擦布体
６  本体
７  環状紐
【図１】
0003197934.tif 000003
【図２】
0003197934.tif 000004
【図３】
0003197934.tif 000005
【図４】
0003197934.tif 000006
(57)【要約】      （修正有）【課題】魚のすり身独特の生臭さがなく、且つ、従来にない味と食感を有するすり身加工食品を提供する。【解決手段】魚のすり身を用いた揚げ物であって、衣部１１と、すり身部１２と、該すり身部１２とは味や食感の異なる塊状の芯食材部１３と、からなり、前記すり身部１２は、前記芯食材部１３を内包していることを特徴とする。【選択図】図１
0003197756.tif 000002
【実用新案登録請求の範囲】
【請求項１】
魚のすり身を用いた揚げ物であって、衣部と、すり身部と、該すり身部とは味や食感の異なる塊状の芯食材部と、からなり、
前記すり身部は、前記芯食材部を内包していることを特徴とする、すり身加工食品。
【請求項２】
前記芯食材部は、豚のばら肉の加工品、及び／又はチーズであることを特徴とする、請求項１記載のすり身加工食品。
【考案の詳細な説明】
【技術分野】
【０００１】
本考案は、魚のすり身加工食品、特に魚のすり身を揚げた揚げ物に関する。
【背景技術】
【０００２】
従来、魚等をすり潰したすり身を主な原料とするすり身加工食品としては、蒲鉾やさつま揚げ、魚肉ソーセージ、そして下記特許文献に提案されるようなすり身製品がある。
【０００３】
特許文献１では、すり身に豆腐、加工澱粉、豆乳、油を添加したことを特徴とする、すり身食品が提案されている。
【先行技術文献】
【特許文献】
【０００４】
【特許文献１】特開２０１２−２４９５７４
【考案の概要】
【考案が解決しようとする課題】
【０００５】
しかしながら、特許文献１等に記載されているように、従来のすり身加工食品は、野菜や豆腐等の具材をすり身に添加する際には、細かく加工したものを添加、混錬するもののみであってバラエティに乏しく、魚のすり身独特の生臭さや、味、食感に大きな違いがあるものではなかった。
【０００６】
本考案は、上記実情を考慮したもので、魚のすり身独特の生臭さがなく、且つ、従来にない味と食感を有するすり身加工食品を提供することを目的とする。
【課題を解決するための手段】
【０００７】
請求項１の考案は、魚のすり身を用いた揚げ物であって、衣部と、すり身部と、該すり身部とは味や食感の異なる塊状の芯食材部と、からなり、前記すり身部は、前記芯食材部を内包していることを特徴とする。
【０００８】
請求項２の考案は、芯食材部は、豚のばら肉の加工品、及び／又はチーズであることを特徴とする。
【考案の効果】
【０００９】
請求項１に記載の考案によれば、魚のすり身を揚げたものであり、また、芯食材部として、すり身部とは味や食感の異なる食材を塊の状態ですり身部に内包するので、魚のすり身独特の生臭さがなく、芯食材部に用いた食材の味や匂い、食感を活かすことができる。そのため、本考案のすり身加工食品の味や食感は非常にバラエティに富み、従来にない味と食感を備える。
【００１０】
請求項２に記載の考案によれば、芯食材部を、味が濃く、且つ、非常に美味な豚のバラ肉の加工品、より詳しく述べるならば、豚のばら肉を塩コショウで味付けしたもの、又はその後炒めたものにするので、すり身部とは味や食感のまったく異なるものをすり身加工食品に加えることが可能であり、従来にない美味しさを提供することが可能である。
【００１１】
そして、味が濃く、且つ、まろやかなチーズを加えた場合、すり身部とは味や食感のまったく異なるものをすり身加工食品に加えることが可能であり、本考案のすり身加工食品は非常に味がまろやか、且つ、美味なものとなる。
【図面の簡単な説明】
【００１２】
【図１】（イ）、（ロ）図は、本考案によるすり身加工食品の実施形態を示す斜視図であって、（イ）図は全体の外観を示す斜視図、（ロ）図は、本考案によるすり身加工食品の構造がわかるように垂直面で切った状態を示す斜視図である。
【考案を実施するための形態】
【００１３】
以下、本考案によるすり身加工食品１０を図１（イ）、（ロ）を参照して説明する。本考案によるすり身加工食品１０は、図１に示すように、外観は一般のコロッケに類似した、小判形状のものであって、衣部１１と、すり身部１２と、芯食材部１３と、からなるものである。
【００１４】
そして、すり身部１２は、スケトウダラ、イワシ、ホッケ等、魚類の身（魚肉）をすり潰して調理したもの、所謂、すり身と呼ばれるものに、みじん切りにした玉ねぎ、塩、胡椒を適量添加した後に混錬したものであって、更に、場合によっては粉状のチーズを添加し、混錬してもよい。なお、前記すり身は、魚類の頭、内臓、腹須、中骨を除去した後に蝶開き状態にして採肉し、その後、水さらし等を行い、血液や脂肪、皮、骨、血合い等余分なものを除去し、脱水工程を経たものであって、最終的には砂糖やソルビトール等を添加されたものである。
【００１５】
そして、芯食材部１３は、前記したすり身部１２で包まれるものである。そして、細かく加工されたものではなく、ある程度の大きさ、言い換えるならば、一般的な大きさのコロッケ等に内包できる大きさの塊状の食材であって、豚のバラ肉を塩コショウで味付けをした後に炒めたものや、チーズ等の乳製品等、味の濃いものや食感に特徴があるものが好ましい。なお、芯食材部１３を、味が濃く、且つ、非常に美味な豚のバラ肉の加工品、より詳しく述べるならば、豚のばら肉を塩コショウで味付けしたもの、又は、その後炒めたものにすることで、すり身部１２とは味や食感のまったく異なるものをすり身加工食品１０に添加することが可能であり、従来にない美味しさを食す人に提供することが可能である。また、芯食材部１３を、チーズにすることで、すり身部１２とは味や食感のまったく異なるものをすり身加工食品１０に加えることが可能であり、本考案のすり身加工食品１０は非常に味がまろやか、且つ、美味なものとなる。
【００１６】
そして、衣部１１は、前記したすり身部１２の外面を覆う衣であって、水、卵、小麦粉、酢等を混ぜた液体にすり身部１２を漬け、その後パン粉を付けた後に油で揚げた際に、すり身部１２の外面に付着するものである。
【００１７】
以上のような本考案のすり身加工食品１０は以下のようにして作製する。まず、魚等のすり身に、みじん切りした玉ねぎ、塩、胡椒を適量添加し、よく混錬してすり身部１２を作製する。そして、すり身部１２で芯食材部１３である塊状の食材を包み、小判状に成形する。そして、ボウルに水、卵、小麦粉、酢等をよく混ぜた液体を満たし、芯食材部１３を内包するすり身部１２をその中に漬け、その後パン粉を付ける。そして、最後に２００度程度の高温に加熱した大量の油によって短時間できつね色になるまで揚げる。
【００１８】
なお、本実施形態例では、すり身加工食品１０は衣部１１と、すり身部１２と、芯食材部１３と、からなるものであって、すり身部１２の外面を衣部１１が直接覆う構成を説明したが、本考案のすり身加工食品１０は、すり身部１２の外面を大葉等で覆い、その外面を更に衣部１１が覆う構成でもよい。また、芯食材部１３は複数の食材からなるものであってもよいし、本考案のすり身加工食品１０の外観は、ボール状、言い換えるならば、略球状であってもよい。
【符号の説明】
【００１９】
１０  すり身加工食品
１１  衣部
１２  すり身部
１３  芯食材部
【図１】
0003197756.tif 000003
(57)【要約】      （修正有）【課題】微粒子付着防止輸送管の内壁に形成された微粒子層の除去が容易で、閉塞を防止できる微粒子付着防止輸送管を提供する。【解決手段】微粒子付着防止輸送管１は、石炭ミル７の上部に設置されている。石炭は微粒子付着防止輸送管１の入口から投入されて、石炭ミル７により粉砕され微粒子になる。石炭の投入を繰り返すうちに、石炭中の微粒子は微粒子付着防止輸送管１の内壁のゴム製シュートに付着して溜り、微粒子層を形成する。微粒子層が形成されたら、圧縮空気供給バルブ２を開き、微粒子付着防止輸送管１の外壁５と、ゴム製シュートで形成された内壁６の間に付設した耐圧ホース４内に圧縮空気を送る。耐圧ホース４は先端部がホース先端止め金具８で閉じられており、送られた圧縮空気により、耐圧ホース４は膨張してゴム製シュートが膨らみ、ゴム製シュート面に形成された微粒子層は剥離して脱落し、微粒子付着防止輸送管１内の閉塞を防止することができる。【選択図】図１
0003197751.tif 000002
【実用新案登録請求の範囲】
【請求項１】
微粒子付着防止輸送管の外壁と、ゴム製シュートで形成された内壁の間であって、対向する少なくとも２カ所の位置に、耐圧ホースを管の長さ方向に付設してなることを特徴とする、微粒子付着防止輸送管。
【考案の詳細な説明】
【技術分野】
【０００１】
本考案は、閉塞防止効果が高い微粒子付着防止輸送管に関する。
【背景技術】
【０００２】
現在、セメント工場では、セメントクリンカーを製造するために石炭が使われている。この石炭は、ゴム製の送入管（以下「石炭送入管」という。）を通じて石炭ミル内に投入し、粉砕して微粉炭が製造されている。しかし、石炭中の微粒子は、石炭送入管の内壁に付着し易いため、微粒子が付着して成長した層（以下「微粒子層」という。）により石炭送入管が閉塞して、石炭の送入が妨げられるという事態がたびたび発生した。
【０００３】
そこで、微粒子層を除去するために、今までは、石炭ミルの運転を止めて、石炭送入管の上部から下部に向けて石炭送入管内に掃除用パイプを挿入し、圧縮空気を噴射して石炭送入管内を掃除していた。しかし、この掃除方法には以下の問題があった。
（i）掃除用パイプや圧縮空気の噴射により、石炭送入管のゴム製の内壁が損傷し易かった。
（ii）石炭送入管の上部から掃除するため、石炭送入管の下部に掃除用パイプが届かず、下部に形成された微粒子層は除去し難かった。
（iii）圧縮空気の噴射で微粒子層を除去できない場合は、石炭ミルの運転を止めて作業員が石炭ミル内に入り、人力で石炭送入管の下部に形成された微粒子層を除去していた。
（iv）石炭ミルの運転を止めた場合は、石炭の代替として重油を用いるが、重油を用いるとコストアップになるほか、重油と石炭に含まれる燃焼後の残渣の化学成分が異なるため、該残渣を取り込んだセメントクリンカーの化学組成が変動した。
したがって、セメントの製造現場では、前記問題を解消するため、閉塞防止効果が高い石炭送入管が求められていた。
なお、これに関連して、例えば、特許文献１には、弾性内管を備えた空気輸送において、内管の内面に付着した粉体塊を剥離して除去する手段が提案されている。
【先行技術文献】
【特許文献】
【０００４】
【特許文献１】特開平０５−２０１５３８号公報
【考案の概要】
【考案が解決しようとする課題】
【０００５】
したがって、本考案の課題は、管の内壁に形成された微粒子層の除去が容易で、閉塞を防止できる石炭送入管等の微粒子付着防止輸送管を提供することにある。
【課題を解決するための手段】
【０００６】
本考案者は、前記課題を解決するための手段を種々検討したところ、微粒子付着防止輸送管の外壁と、ゴム製シュートで形成された内壁の間に、耐圧ホースを付設して、この耐圧ホース内に、随時、圧縮空気を送れば、耐圧ホースの膨張によりゴム製シュートが膨らみ、該シュートに付着した微粒子層が容易に剥離して脱落し、微粒子付着防止輸送管内の閉塞を防止できることを見い出し、本考案を完成させた。すなわち、本考案は、下記の構成を有する微粒子付着防止輸送管である。
【０００７】
［１］微粒子付着防止輸送管の外壁と、ゴム製シュートで形成された内壁の間であって、対向する少なくとも２カ所の位置に、耐圧ホースを管の長さ方向に付設してなる、微粒子付着防止輸送管。
【考案の効果】
【０００８】
本考案の微粒子付着防止輸送管は、微粒子付着防止輸送管内に形成された微粒子層の剥離が容易で、微粒子付着防止輸送管内の閉塞を防止できる。
【図面の簡単な説明】
【０００９】
【図１】石炭ミルに設置された状態での、微粒子付着防止輸送管の一例を示す断面図である。
【考案を実施するための形態】
【００１０】
本考案は、前記のとおり、微粒子付着防止輸送管の外壁と、ゴム製シュートで形成された内壁の間であって、対向する少なくとも２カ所の位置に、耐圧ホースを管の長さ方向に付設してなる微粒子付着防止輸送管である。以下、本考案を図１を用いて説明する。
【００１１】
本考案に係る微粒子付着防止輸送管１は、石炭ミル７の上部に設置されている。石炭は微粒子付着防止輸送管１の入口から投入されて、石炭ミル７により粉砕され微粒子になる。石炭の投入を繰り返すうちに、石炭中の微粒子は微粒子付着防止輸送管１の内壁のゴム製シュートに付着して溜り、微粒子層を形成する。
微粒子層が形成されたら、圧縮空気供給バルブ２を開き、微粒子付着防止輸送管１の外壁５と、ゴム製シュートで形成された内壁６の間に付設した耐圧ホース４内に圧縮空気を送る。耐圧ホース４は先端部がホース先端止め金具８で閉じられており、送られた圧縮空気により、耐圧ホース４は膨張してゴム製シュートが膨らみ、ゴム製シュート面に形成された微粒子層は剥離して脱落し、微粒子付着防止輸送管１内の閉塞を防止することができる。
微粒子層の脱落後は、圧縮空気供給バルブ２を閉じて排気バルブ３を開くことにより、耐圧ホース内の圧縮空気が排出されて、ゴム製シュートは最初の円形の形状に戻る。微粒子層の付着状況によって、この動作を繰り返すことにより微粒子層の付着防止が図れる。
また、耐圧ホース４は、外壁５と内壁６の間にあって、少なくとも２カ所の位置に、対向するように付設する。耐圧ホース４の本数が多い程、微粒子層の剥離は容易になる。
【符号の説明】
【００１２】
１  微粒子付着防止輸送管
２  圧縮空気供給バルブ（電磁弁）
３  排気バルブ（電磁弁）
４  耐圧ホース
５  外壁
６  内壁（ゴム製シュート）
７  石炭ミル
８  ホース先端止め金具
９  各電磁弁制御盤（タイマーで任意に設定可）
【図１】
0003197751.tif 000003